(57)【要約】【課題】  遠隔地にて機器の状態を監視することのできるコントローラと通信可能な機器において、ユーザに特出して報知すべきイベントが発生した場合、そのイベントをコントローラにて報知するには、新しくネットワークに機器を追加する場合にコントローラを改編しなければならない。【解決手段】  ネットワーク１２０に接続された機器Ａ１２１において、機器上で起こる特出してコントローラに報知すべきイベントをイベント検知部１１にて検知し、そのイベント情報に対応した報知指定を報知指定生成部１２にて生成、報知すべき情報に付加してコントローラに送信する。これにより、機器上で起こった運転コース終了や、機器の異常発生といった特出してコントローラに報知すべきイベントを機器側で設定することができる。【選択図】  図１
2005072839.tif 000002
【特許請求の範囲】
【請求項１】
機器の状態を監視することのできるコントローラと通信可能な機器において、機器上で起こる特出してコントローラに報知すべきイベントを検知するイベント検知部と、そのイベント情報の報知指定を報知すべき情報に付加して送信し、コントローラに特出した情報として知らせることのできる報知指定生成部を備えてなる機器。
【請求項２】
報知指定生成部は特出したイベントの種類を指定することのできる電文を生成する請求項１記載の機器。
【請求項３】
報知指定生成部は特出したイベントを報知する時刻と、報知するまでの待ち時間と、報知する期間の少なくともいずれか一つを指定することのできる電文を生成する請求項１記載の機器。
【請求項４】
報知指定生成部は特出したイベントを報知する手段を指定することのできる電文を生成する請求項１記載の機器。
【請求項５】
報知指定生成部は特出したイベントを報知する優先度を指定することのできる電文を生成する請求項１記載の機器。
【請求項６】
報知指定生成部は特出したイベントを報知した後、それらの情報を消去する手段を指定することのできる電文を生成する請求項１記載の機器。
【請求項７】
機器と通信することにより機器の状態を監視することのできるコントローラにおいて、機器上で特出したイベントが起こったときに、受信した電文より報知指定を判断することのできる報知情報制御処理部と、それにより機器から受け取った情報を特出すべき情報として報知することのできる報知制御処理部を備えてなるコントローラ。
【請求項８】
報知制御処理部は、受信した電文によりイベントの種類を判断し、報知する請求項７記載のコントローラ。
【請求項９】
報知制御処理部は、受信した電文によりイベントを報知する時刻と、報知するまでの待ち時間と、報知する期間の少なくともいずれか一つを制御し、報知する請求項７記載のコントローラ。
【請求項１０】
報知制御処理部は、受信した電文にて指定されたイベントを報知する手段を制御し、報知する請求項７記載のコントローラ。
【請求項１１】
報知制御処理部は、受信した電文にてイベントの優先度を判断し、報知する請求項７記載のコントローラ。
【請求項１２】
報知制御処理部は、受信した電文にて指定された手段にて、それまで報知していた情報を消去する請求項７記載のコントローラ。
【請求項１３】
機器の状態を監視することのできるコントローラと通信可能な機器において、機器上で起こる特出してコントローラに報知すべきイベントを検知するイベント検知手順と、そのイベント情報の報知指定を報知すべき情報に付加して送信する手順と、コントローラに特出した情報として知らせる手順を備えてなるイベント報知方法。
【請求項１４】
イベント情報の報知指定を報知すべき情報に付加して送信する報知指定電文は、データ部に報知内容指定、報知開始時刻指定、報知開始待ち時間指定、報知期間指定、報知手段指定、報知優先度指定、報知消去指定のうち少なくとも１つ以上の情報を含む電文より構成される請求項１４記載のイベント報知方法。
【請求項１５】
機器と通信することにより機器の状態を監視することのできるコントローラにおいて、機器上で特出したイベントが起こったときに、受信した電文より報知指定を判断することのできる報知情報制御処理手順と、それにより機器から受け取った情報を特出すべき情報として報知する手順を備えてなるイベント報知方法。
【請求項１６】
機器上で特出したイベントが起こったときに、コントローラにて受信する報知制御電文は、データ部に報知内容指定、報知開始時刻指定、報知開始待ち時間指定、報知期間指定、報知手段指定、報知優先度指定、報知消去指定のうち少なくとも１つ以上の情報を含む電文より構成される請求項１５記載のイベント報知方法。
【請求項１７】
請求項１〜１２のいずれか記載の機器およびコントローラにて少なくとも一つの手段をコンピュータに実行させるためのプログラム。
【発明の詳細な説明】
【技術分野】
【０００１】
本発明は、遠隔地にて機器の状態を監視することのできるコントローラと通信可能な機器およびイベント報知方法およびプログラムに関するものである。
【背景技術】
【０００２】
近年、通信回線（インターネット等）を利用して、宅内機器とコントローラの間で通信を行い、遠隔地での宅内機器の現在の状態を閲覧したり、宅内機器の電源入り切りなどの運転を制御を可能とするシステムが普及し始めている（特許文献１、２、３）。
【０００３】
さらに、これらのシステムにおいて、コントローラの表示手段により、宅内機器の運転状態を表示するのみならず、洗濯機の洗い〜脱水までの一連動作のようなユーザ設定コース運転の終了や、機器の異常発生といった機器上でのイベント発生時にその旨を報知する機能を備えた構成も提案されており、以下、その構成について説明する。
【０００４】
図１８において、１００はECHONET（http://www.echonet.gr.jp/参照）等のネットワークを示し、１０１〜１０４はネットワーク１００に接続され情報や制御のやり取りを行う機器（ネット対応エアコンや、ネット対応冷蔵庫など）を示す。
【０００５】
図１９は、従来のコントローラ１０１のシステムブロック図である。
【０００６】
図２０は、イベントが発生したときのネットワークを介して機器ａ１０２に接続されたコントローラ１０１における、機器からの状態変化情報受信時の通信シーケンスである。
【０００７】
図２１は、コントローラ表示画面上に表示される機器の状態閲覧画面であり、
図２２は、機器上でイベントが起こったときに報知されるポップアップ画面である。
【０００８】
従来のコントローラ１０１は、内部に送受信回路部１０２、電文解析処理部１０３、報知制御処理部１０４、報知情報保持部１０５を備え、ネットワーク１００を介して接続された機器の状態が変化したときに送信される状態変化情報を送受信回路部１０２にて受信する。そして、電文解析処理部１０３により受信した電文からどの機器が、状態Ａから状態Ｂに変化したというイベント情報を得る。得られたイベント情報とコントローラ１０１が予め報知情報保持部１０５にて保持している報知情報と照らし合わせ、その結果から報知制御処理部１０４にてユーザに報知する。
【０００９】
図２０の通信シーケンスを用いて説明すると、機器ａ上で、なんらかの状態変化があった場合、機器ａ１０２は、機器ａ１０２の状態が状態Ａから状態Ｂへ変化したという状態変化情報１１１をコントローラ１０１に送信する。それを受け取ったコントローラ１０２は、応答電文１１２を返信した後に、内部保持情報のルールに従ってによる報知処理１１３を行うことになる。
【００１０】
このとき、通常の情報、つまり特出してユーザに報知しなければならない情報ではない情報であると判断された情報は図２１に示すような状態閲覧画面として画面上に表示されるが、機器運転終了情報や、機器の異常情報などといった特出してユーザに報知しなければならない情報であると判断された情報は、図２２に示されるような運転終了報知画面１１５を状態閲覧画面１１４の前面にポップアップ表示することにより、ユーザにむけて報知される。
【特許文献１】特開２００３−４７０７４号公報
【特許文献２】特開２００２−１８６０５７号公報
【特許文献３】特開２００３−２０７１３９号公報
【発明の開示】
【発明が解決しようとする課題】
【００１１】
しかしながら、前記従来の構成では、報知情報や報知方法、報知内容をすべてコントローラで管理しており、ユーザに報知すべきイベントを予めすべて前記コントローラに設定しなければならない、つまり、どの機器で、何が起こったときに、どのような方法でユーザに報知するかをすべて前記コントローラにて最初に作りこんでおく必要があった。
【００１２】
洗濯機とコントローラからなるシステムにおいて例をあげると、洗濯機から洗濯コース運転終了をコントローラに通知し、コントローラで終了報知画面をポップアップ表示したい場合、従来の方法では、まず、コントローラに「”洗濯機”より”コース運転が終了した”という”状態変化通知”を機器より受信した場合、”表示画面”に”コース運転が終了した”という内容の”ポップアップ画面”を”表示”する」ということを設定しておく。そして、洗濯機上にて洗濯コース運転が終了したとき、洗濯機は、”洗濯コース運転が終了した”ということが『特出してコントローラに報知すべき情報である』とは認識せずに、他の数多の情報と同様に、状態が変化したとして、”状態変化通知”をコントローラに送信する。コントローラは、この”洗濯コース運転が終了した”という”状態変化通知”を受け取ったと判断した時に、設定どおり、”表示画面”に”コース運転が終了した”という内容の”ポップアップ画面”を”表示”し、ユーザに対して報知を行う。
【００１３】
このため、当初のコントローラでは考えていなかったような、機器に新しい機能を追加したり、コントローラに新しい機器を追加するなどした際に、新規イベントをコントローラにて報知したい場合にも、コントローラを改編する必要が生じる。これは、コントローラを中心に構成して、後から機器を追加接続できるというネットワークとしての汎用性・利便性を考えると大きな課題である。
【課題を解決するための手段】
【００１４】
そこで、前記従来の課題を解決するために、本発明の機器は、機器上で起こる特出してコントローラに報知すべきイベントを検知し、そのイベント情報の報知指定を報知すべき情報に付加してコントローラに送信する。これにより、機器上で起こった運転コース終了や、機器の異常発生といった特出してコントローラに報知すべきイベントを機器側で設定することができ、また、そのイベントをコントローラ上でどのように報知するかといったイベント情報の報知指定を機器側で制御することが可能となる。
【００１５】
また、本発明のコントローラは、機器上で特出したイベントが起こったときに、受信した電文より報知指定を判断し、機器から受け取った情報を特出すべき情報として機器側の指定どおりにユーザに報知する。これにより、機器上で発生する特出したイベント、たとえば運転コース終了や、機器の異常発生といった特出して報知すべきイベント情報の報知方法を、予め前記コントローラ内に作りこんでおく必要がなく、どのような機器の報知にも高い自由度で適用できるコントローラを実現することが可能となる。
【００１６】
つまり、例えば本発明の洗濯機と本発明のコントローラからなるシステムにおいて、洗濯機から洗濯コース運転終了をコントローラに通知し、コントローラで終了報知画面をポップアップ表示したい場合には、洗濯機上にて、洗濯コース運転が終了したとき、洗濯機は、”洗濯コース運転が終了した”ということが『特出してコントローラに報知すべき情報である』ということを検知し、それを「”コントローラの表示画面”に”洗濯機”の”コース運転が終了した”という内容の”ポップアップ画面”を”表示”してほしい」とコントローラに通知する。コントローラでは、機器より指示された内容に従い、コントローラの表示画面”に”洗濯機”の”コース運転が終了した”という内容の”ポップアップ画面”を”表示”し、ユーザに報知する。
【００１７】
また、本発明の通信方法は、機器上で起こる特出してコントローラに報知すべきイベントを検知し、そのイベント情報の報知指定を報知すべき情報に付加して送信後、コントローラに特出した情報として知らせる手順を踏む。これにより、機器上で起こった運転コース終了や、機器の異常発生といった特出してコントローラに報知すべきイベントを機器側で設定することができ、また、そのイベントをコントローラでどのように報知するかといったイベント情報の報知指定を機器側で制御させることが可能となる。
【００１８】
加えて、本発明の報知方法は、機器上で特出したイベントが起こったときに、コントローラが受信した電文より報知指定を判断し、それにより機器から受け取った情報を特出すべき情報として報知する手順を踏む。この手順により、機器上で発生する特出したイベント、たとえば運転コース終了や、機器の異常発生といった特出して報知すべきイベント情報の報知方法を、予め前記コントローラ内に作りこんでおく必要がなく、どのような機器の報知にも高い自由度で適用できるコントローラを実現することが可能となる。
【発明の効果】
【００１９】
本発明の機器は、機器上で起こる特出してコントローラに報知すべきイベントを検知し、そのイベント情報の報知指定を報知すべき情報に付加してコントローラに送信する。これにより、機器上で起こった運転コース終了や、機器の異常発生といった特出してコントローラに報知すべきイベントを機器側で設定することができ、また、そのイベントを個のとローラでどのように報知するかといったイベント情報の報知指定を機器側で制御することが可能となる。
【００２０】
加えて本発明のコントローラは、機器上で特出したイベントが起こったときに、受信した電文より報知指定を判断し、機器から受け取った情報を特出すべき情報として機器側の指定どおりにユーザに報知する。これにより、機器上で発生する特出して運転コース終了や、機器の異常発生といった特出して報知すべきイベント情報の報知方法を、予め前記コントローラ内に作りこんでおく必要がなく、どのような機器の報知にも高い自由度で適用できるコントローラを実現することが可能となる。
【発明を実施するための最良の形態】
【００２１】
第１の発明は、機器の状態を監視することのできるコントローラと通信可能な機器において、機器上で起こる特出してコントローラに報知すべきイベントを検知するイベント検知部と、そのイベント情報の報知指定を報知すべき情報に付加して送信し、コントローラに特出した情報として知らせることのできる報知指定生成部を備えてなる機器であり、これにより、機器上で起こった運転コース終了や、機器の異常発生といった特出してコントローラに報知すべきイベントを機器側で設定することができ、また、そのイベントをコントローラ上でどのように報知するかといったイベント情報の報知指定を機器側で制御することが可能となる。
【００２２】
第２の発明は、特に、第１の発明の機器において、報知指定生成部は特出したイベントの種類を指定することのできる電文を生成する。これにより、特出したイベントとしてユーザに報知したい情報を予めコントローラに指定するのではなく、機器側から電文送信時に前記コントローラに指定することが可能となり、報知するイベント種類の追加や変更も容易となる。
【００２３】
第３の発明は、特に、第１の発明の機器において、報知指定生成部は特出したイベントを報知する時刻と、報知するまでの待ち時間と、報知する期間の少なくともいずれか一つを指定することのできる電文を生成する。これにより、例えば、機器の運転コースの終了時刻を予測して報知時刻を指定することにより、機器動作中のノイズなどで通信が困難となる場合でも機器の運転コース終了をコントローラにて報知することができ、機器とコントローラの状態の不整合を防ぐことができる。
【００２４】
また、機器が動き出すまでに時間がかかるようなシステムにおいては、予め時間を想定して報知するまでの待ち時間をコントローラに指定することにより、動作と報知の状態の不整合を防ぐことができる。そして、コントローラの設置環境により、機器で起こった特出したイベントをコントローラが報知したことにユーザが気づくまでの時間が異なる場合に、報知する期間を指定することにより、設置環境に合わせた使用が可能となり、ひいては、ユーザの使い勝手の向上を図ることができる。
【００２５】
第４の発明は、特に、第１の発明の機器において報知指定生成部は特出したイベントを報知する手段を指定することのできる電文を生成する。これにより、特出したイベント情報をユーザに報知する手段を予めコントローラに指定するのではなく、機器側から電文送信時に前記コントローラに指定することが可能となり、報知したい内容や、使用される環境によって、画面表示や音、光、震動などの手段を切り替えることができ、報知したい内容や使用時の状況に最適な手段を用いて、ユーザに報知することができる。
【００２６】
第５の発明は、特に、第１の発明の機器において報知指定生成部は特出したイベントを報知する優先度を指定することのできる電文を生成する。これにより、特出したイベント情報をユーザに報知する優先度を予めコントローラに指定するのではなく、機器側から電文送信時に前記コントローラに指定することが可能となり、例えば、エアコン、洗濯機といった家電製品とコントローラのみから構成されるシステムに警報の緊急度の高い(例えば侵入検知センサのような)セキュリティ機器を新しく追加した場合にも、前記コントローラを改編することなく、前記コントローラにて最優先でセキュリティ機器からの警報を報知することができる。
【００２７】
第６の発明は、特に、第１の発明の機器において報知指定生成部は特出したイベントを報知した後、それらの情報を消去する手段を指定することのできる電文を生成する。これにより、特出したイベントをユーザに報知した後、それらの情報を消去する手段を予めコントローラに指定するのではなく、機器側から電文送信時に前記コントローラに指定することが可能となり、報知内容に対し、ユーザが報知された情報を認識して欲しい度合いにより、「ボタンを押さなければ報知情報が消去されない」、「表示部の一部に触れたら報知情報が消去される」、「何もしないでも(一定時間経過後に)報知情報が消去される」などを使い分けることができ、ユーザのより一層の注意を促すことが出来る。
【００２８】
第７の発明は、機器と通信することにより機器の状態を監視することのできるコントローラにおいて、機器上で特出したイベントが起こったときに、受信した電文より報知指定を判断することのできる報知情報制御処理部と、それにより機器から受け取った情報を特出すべき情報として報知することのできる報知制御処理部を備えてなるコントローラであり、これにより、機器上で特出したイベントが起こったときに、受信した電文より報知指定を判断し、機器から受け取った情報を特出すべき情報として機器側の指定どうりにユーザに報知する。これにより、機器上で発生する特出して運転コース終了や、機器の異常発生といった特出して報知すべきイベント情報を、予め前記コントローラ内に作りこんでおく必要がなく、より汎用的なコントローラを実現することが可能となる。
【００２９】
第８の発明は、特に、第７の発明のコントローラにおいて報知制御処理部は、受信した電文によりイベントの種類を判断し、報知する。これにより、特出して報知すべきイベントが機器上で発生したときに、遠隔地にあるコントローラにて受信した電文によって、報知されるイベントの種類が制御されることが可能となり、コントローラにて報知するイベント種類の追加や変更も容易となる。
【００３０】
第９の発明は、特に、第７の発明のコントローラにおいて報知制御処理部は、受信した電文によりイベントを報知する時刻と、報知するまでの待ち時間と、報知する期間の少なくともいずれか一つを制御し、報知する。これにより、例えば、機器から、機器の運転コースの終了時刻を予測して報知時刻を指定されることにより、機器動作中のノイズなどで運転コース終了時に機器との通信が困難となる場合でも、機器の運転コース終了をコントローラにて報知することができ、機器の動作状態とコントローラの報知状態の不整合を防ぐことができる。また、機器が動き出すまでに時間がかかるようなシステムにおいては、予め時間を想定して報知するまでの待ち時間を機器からコントローラに指定されることにより、機器とコントローラの状態の不整合を防ぐことができる。そして、コントローラの設置環境により、機器で起こった特出したイベントをコントローラが報知したことにユーザが気づくまでの時間が異なる場合に、報知する期間を受信した電文にて制御することにより、設置環境に合わせた使用が可能となり、ひいては、ユーザの使い勝手の向上を図ることができる。
【００３１】
第１０の発明は、特に、第７の発明のコントローラにおいて報知制御処理部は、受信した電文にて指定されたイベントを報知する手段を制御し、報知する。これにより、特出したイベント情報をユーザに報知する手段を予めコントローラにて制御するのではなく、コントローラにて電文を受信した時に、遠隔地にある機器より報知する手段を制御されることが可能となり、ユーザに機器が報知したい内容や、コントローラが使用される環境によって、画面表示や音、光、震動などの手段を切り替えることができ、報知したい内容や使用時の状況に最適な手段を用いて、ユーザに報知することができる。
【００３２】
第１１の発明は、特に、第７の発明のコントローラにおいて報知制御処理部は、受信した電文にてイベントの優先度を判断し、報知する。これにより、特出したイベント情報をユーザに報知する優先度を予めコントローラにて記憶させて制御するのではなく、コントローラにて電文を受信した時に、遠隔地にある機器より報知する優先度を制御されることが可能となり、例えば、エアコン、洗濯機といった家電製品とコントローラのみから構成されるシステムに警報の緊急度の高い(例えば侵入検知センサのような)セキュリティ機器を新しく追加した場合にも、前記コントローラを改編することなく、前記コントローラにて最優先でセキュリティ機器からの警報を報知することができる。
【００３３】
第１２の発明は、特に、第７の発明のコントローラにおいて報知制御処理部は、受信した電文にて指定された手段にて、それまで報知していた情報を消去する。これにより、特出したイベントをユーザに報知した後、それらの情報を消去する手段を予めコントローラに指定するのではなく、コントローラにて電文を受信した時に、遠隔地にある機器より消去する手段を制御されることが可能となり、報知内容に対し、ユーザが報知された情報を認識して欲しい度合いにより、「ボタンを押さなければ報知情報が消去されない」、「表示部の一部に触れたら報知情報が消去される」、「何もしないでも(一定時間経過後に)報知情報が消去される」などを使い分けることができ、ユーザのより一層の注意を促すことが出来る。
【００３４】
第１３の発明は、機器の状態を監視することのできるコントローラと通信可能な機器において、機器上で起こる特出してコントローラに報知すべきイベントを検知し、そのイベント情報の報知指定を報知すべき情報に付加して送信し、コントローラに特出した情報として知らせるイベント報知の実行方法であり、これにより、機器上で起こった運転コース終了や、機器の異常発生といった特出してコントローラに報知すべきイベントを機器側で設定することができ、また、そのイベントをコントローラでどのように報知するかといったイベント情報の報知指定を機器側で制御することが可能となる。
【００３５】
第１４の発明は、イベント情報の報知指定を報知すべき情報に付加して送信する報知指定電文は、データ部に報知内容指定、報知開始時刻指定、報知開始待ち時間指定、報知期間指定、報知手段指定、報知優先度指定、報知消去指定のうち少なくとも１つ以上の情報を含む電文より構成されるイベント報知の実行方法であり、これにより、特出したイベント情報をユーザに報知する優先度を予めコントローラにて制御するのではなく、コントローラにて電文を受信した時に、遠隔地にある機器より報知する優先度を制御されることを可能とする。
【００３６】
第１５の発明は、機器と通信することにより機器の状態を監視することのできるコントローラにおいて、機器上で特出したイベントが起こったときに、受信した電文より報知指定を判断することのできる報知情報制御処理することにより、機器から受け取った情報を特出すべき情報として報知するイベント報知の実行方法であり、これにより、前記コントローラ内に機器上で発生する特出して運転コース終了や、機器の異常発生といった特出して報知すべきイベント情報を、予め前記コントローラ内に作りこんでおく必要がなく、より汎用的なコントローラを実現することが可能となる。
【００３７】
第１６の発明は、機器上で特出したイベントが起こったときに、コントローラにて受信する報知制御電文は、データ部に報知内容指定、報知開始時刻指定、報知開始待ち時間指定、報知期間指定、報知手段指定、報知優先度指定、報知消去指定のうち少なくとも１つ以上の情報を含む電文より構成されるイベント報知の実行方法であり、これにより、特出したイベント情報をユーザに報知する優先度を予めコントローラにて制御するのではなく、コントローラにて電文を受信した時に、遠隔地にある機器より報知する優先度を制御されることを可能とする。
【００３８】
第１７の発明は、請求項１〜１２のいずれか記載の機器およびコントローラにて少なくとも一つの手段をコンピュータに実行させるためのプログラムであり、この構成によれば、機器上で起こった運転コース終了や、機器の異常発生といった特出してコントローラに報知すべきイベントを機器側で設定することができ、また、そのイベントをコントローラ上でどのように報知するかといったイベント情報の報知指定を機器側で制御することが可能となる。また、機器上で発生する特出して運転コース終了や、機器の異常発生といった特出して報知すべきイベント情報の報知方法を、予め前記コントローラ内に作りこんでおく必要がなく、どのような機器の報知にも高い自由度で適用できるコントローラを実現することが可能となる。
【００３９】
そして、プログラムであるのでマイコンなどを用いて本発明の機器またはコントローラの一部あるいは全てを容易に実現することができる。また記録媒体に記録したり通信回線を用いてプログラムを配信したりすることでプログラムの配布が簡単にできる。
【００４０】
以下の本発明の実施例について、図面を参照しながら説明する。
【００４１】
（実施の形態１）
図１は、本実施の形態１のネットワーク１２０に繋がれた機器Ａ１２１のシステムブロック図である。なお、イベント検知部１１、報知指定生成部１２と表記している以外は従来の構成と同じである。以上のように構成された機器Ａについて、洗濯機を例に取り、以下その動作、作用を説明する。
【００４２】
洗濯機Ａ１２１の洗濯コース運転終了時に、洗濯機Ａ１２１の洗濯コース運転が終了したことをネットワーク１２０を介して接続されたコントローラに報知する場合、洗濯が終了したというイベントが特出して報知すべきイベントであることを洗濯機Ａ１２１のイベント検知部１１にて検知する。そして、報知指定生成部１２にて、このイベントはいつ、どのように、どうやってコントローラで報知するものであるのかが指定され、コントローラへの指示が生成される。そして、電文解析処理部１３１、送受信回路部１３２にて電文としてネットワーク上に送信される。
【００４３】
以上のように、本実施例では、機器Ａ１２１にて、現在発生したイベントが、コントローラで報知すべき特出したイベントであると検知し、それに合わせてどのようにしてコントローラで報知するかという情報もコントローラに送信しているので、コントローラの設定を変えることなく、機器側から報知内容や報知方法を制御することができる。
【００４４】
なお、本実施の形態では洗濯機を例として用いているが、エアコン、電子レンジ、テレビといった家電製品、侵入感知センサといったセキュリティ機器、ひいては監視カメラ、介護施設の医療機器などさまざまな機器に対し、本発明を適用することが可能である。
【００４５】
また、本実施の形態では通信媒体として無線を用いているが、専用線による有線通信、電灯線搬送通信、赤外線通信、光ファイバ通信など、いずれの通信媒体を用いても同様の効果を有するものである。
【００４６】
（実施の形態２）
図２は、本実施の形態２の機器Ａ１２１の報知指定生成部１２にて生成される電文の構成図である。なお、機器の内部ブロック図は実施の形態１と同じ構成である。
【００４７】
ここで生成される電文は、ネットワーク上で通信相手に対し通知のみするのか、通知後、その応答を待つのか、書き込みをするのかなどの通信サービスを指定するサービスコード(ＳＣ)２０と、これは何に関するデータなのか(ここでは報知内容を指示するデータが後に続く)を指定するプロパティコード(ＰＣ)２１と、報知の種類を指定する実データ部２２から構成される。以上のように構成された機器Ａにおける電文構成について、洗濯機を例に取り、以下その動作、作用を説明する。
【００４８】
洗濯機の運転コースの中で起こりうる、特出してユーザに報知すべきイベントとしては、「注水動作開始」、「洗濯動作開始」、「すすぎ動作開始」、「脱水動作開始」、「洗濯終了」などがあげられる。これらに対応するデータを図２の報知の種類の指示２３ａ〜２３ｅのように設定し、もし、機器Ａとして注水動作が開始されたときにユーザに報知するという仕様を決めた場合、図１におけるイベント検知部１１にて注水動作が開始されたことが検出された時に、図１の報知指定生成部１２にて上述の構成の電文を作成し、データ部２２には、「注水動作開始報知指定」を表すデータ”０ｘ２１”を設定する。このような電文にてコントローラに知らせるため、コントローラ側で「注水動作開始」が特出して報知すべき情報であるのか否かを調べる必要がなくなり、機器から容易にコントローラの報知方法を制御することが可能となる。
【００４９】
なお、本実施の形態ではデータ内容を洗濯機を例に取り説明したが、これは電子レンジであれば「調理運転開始」、「扉開一時停止」、「調理途中経過お知らせ」、「調理終了」などといった内容が考えられ、冷蔵庫であれば「扉開警報」、「消耗品交換」などの内容を設定することが出来る。これらは、家電製品に限られるわけではなく、他の機器についても同様に設定することができる。
【００５０】
そして、これらの情報に、報知時に使用する画像データや、表示文字列情報、音ファイル、ＵＲＬ情報を付加した電文形式であってもよい。
【００５１】
（実施の形態３）
図３は、図２同様、本実施の形態３の機器Ａ１２１の報知指定生成部１２にて生成される電文の構成図である。ここで、実データ部２２は報知内容指示部２３と、報知開始時刻指定部３１の二つより構成される。以上のように構成された機器Ａにおける電文構成について、洗濯機を例に取り、以下その動作、作用を説明する。
【００５２】
洗濯機の運転コースの中で起こりうる、特出してユーザに報知すべきイベントとしては、「注水動作開始」、「洗濯動作開始」、「すすぎ動作開始」、「脱水動作開始」、「洗濯終了」などがあげられる。これらに対応するデータを図２の報知の種類の指示３０ａ〜３０ｅのように設定し、もし、機器Ａとして脱水動作が開始されたときにユーザに報知するという仕様を決めた場合、図１におけるイベント検知部１１にて一連の洗濯コースが開始されたことを検知したとき、コース設定と現在時刻より、脱水動作の開始される時刻を算出し、データ部２２の報知内容指示部２３には、「脱水動作開始報知指定」を表すデータ”０ｘ３４”を設定する。また、報知開始時刻指定３１には報知する時刻を設定する。
【００５３】
これにより、特出してユーザに報知すべきイベントを報知時刻を指定して機器側から制御することができる。そのため、特に洗濯機のように稼動中に機器自身が大きなノイズを発生してしまう機器では、稼動中の通信がノイズによりうまくできなく、そのためコントローラと機器の間で状態が一致しない（洗濯機はすすぎが終了し、脱水動作を開始しているにもかかわらず、脱水動作を開始したという知らせを機器からうまく出せなかった場合、コントローラではまだ脱水動作の前のすすぎ動作が終了していないと認識してしまう）という問題を解消することができる。
【００５４】
また、図４は、前記電文構成の、実データ部２２を報知内容指示部２３と、報知開始待ち時間指定部４１の二つより構成したものである。この電文を用いることで、特出してユーザに報知すべきイベントを電文を受け取った時間から所定の時間を置いてコントローラにてユーザに報知を行うことができる。
【００５５】
図３同様に、洗濯機を例にとると、例えば、特出してユーザに報知すべきイベントとして、機器の運転が終了した、つまり、ユーザが設定した洗濯運転コースが終了したことを指定する場合を考える。洗濯機は、「注水動作」、「洗い動作」、「すすぎ動作」、「脱水動作」を経て、脱水動作が完了した時点で、洗濯運転コースを終了したと判断し、コントローラに通知した運転終了を通知した後、電源を自動的に落とす。脱水動作終了直後は、機器では電源が落ちるものの、洗濯槽は惰性により回り続けてしまうので、完全に停止するまでにはある程度の時間を必要とする。そのため、コントローラの終了報知と実際の機器の運転状態に不一致が生じる。もちろんその間は危険であるので、ユーザは衣類を取り出すことができない。
【００５６】
そこで、コントローラへの報知時間の指示として、前述の電文を報知内容指示２３に洗濯終了報知指定４０ｅを、報知開始待ち時間指定４１に０ｘ０００３(３分)を設定する。これにより、洗濯機の終了報知を行うのを３分遅らすことができ、”洗濯コース運転終了”が通知された時点では、洗濯機の動きも止まっており、コントローラと洗濯機の状態を一致させることが出来る。また、衣類を安全に取り出すことが出来るので、機器の安全性の向上、ひいてはユーザの使い勝手の向上を図ることができる。
【００５７】
これは、洗濯機に限った話ではなく、運転中に高熱を発する乾燥機やオーブンレンジなどの終了時の通知にも時間遅れを設けることが出来、ユーザが高温時に機器に触れてしまい、怪我をするのを防ぐことができる。
【００５８】
また、例えば、プロジェクタのような、起動に時間のかかるシステムにおいては、予め、電源投入時に起動時間を予測して、コントローラでの報知に待ち時間を設けさせることにより、ユーザがコントローラにて報知を受け取った時点で、プロジェクタは使用可能な状態にスタンバイしており、コントローラと機器の状態の不整合を防ぐことができる。
【００５９】
また逆に、終了時間よりも早く時間を設定する（数値にマイナスを採用する  例：−１０分）と、家から離れた場所に設置されているコインランドリーなどの機器が終了する前に報知することができ、ユーザが報知に気づいてから移動を開始し、家からコインランドリーまで移動する時間（例えば１０分）経過後にちょうど運転が終了している、ということも可能となる。
【００６０】
加えて、図５は、前記電文構成の、実データ部２２を報知内容指示部２３と、報知期間指定部４１の二つより構成したものである。
【００６１】
図３同様に、洗濯機を例にとると、報知期間指定部５１では、注水動作開始報知指定情報５１ａ、洗濯動作開始報知指定情報５１ｂ、すすぎ動作開始報知指定情報５１ｃ、脱水動作開始報知指定情報５１ｄの場合にはコントローラでの報知は３秒で終了するように設定する。そして、コース運転の最終の通知イベントである洗濯終了報知指定５１ｅでは”０ｘ００００：時間指定なし（他の要因により解除されるまで待つ）”を洗濯機からコントローラに指定することで、「時間がたてば自動的に消去される情報」と、「気づいてもらって初めて消去できる情報」とを区別してコントローラからユーザに報知することができる。また、宅内で使用する場合には、短い報知でもユーザが近くにいることが多く、すぐに気づく可能性が多いが、宅外で使用する場合には騒音が大きい、ユーザが近くにいないなどの要因から長く報知することを必要とされるなどといった使用環境に応じても高い自由度で報知方法を変化させることができる。
【００６２】
これらは図３の報知開始時刻指定部３１や図４の報知開始待ち時間指定部４１、図５の報知時間指定部５１をデータの構成要素として一つの電文に同時に含む形でもよい。
【００６３】
（実施の形態４）
図６は、図２同様本実施の形態４の機器Ａ１２１の報知指定生成部１２にて生成される電文の構成図である。実データ部２２は報知内容指示部２３と、報知手段指定部６１の二つより構成される。
【００６４】
図２同様に洗濯機の洗濯運転コースを例にあげて説明すると、洗濯機が洗濯運転コースを開始したとき、洗濯機は、コントローラに対し、注水動作開始報知指定６１ａ（０ｘ０００１：表示画面に画像を表示する指示）を含んだ電文を送信し、それを受けたコントローラは表示部１１４に洗い行程を示す画像１１４Ｃを表示する。同様にして、洗濯機が洗濯動作を開始したとき、すすぎ動作を開始したとき、脱水動作を開始したとき毎に、洗濯機はコントローラに、洗濯動作開始報知指定６１ｂ、すすぎ動作開始報知指定６１ｃ、脱水動作開始報知指定６１ｄ（すべて値は０ｘ０００１）を含んだ電文を順に送信する。それを受け、コントローラは順にすすぎ行程を示す画像１１４ｄ、脱水行程を示す画像１１４ｅを表示する。そして、洗濯機が洗濯を終了したとき、洗濯機はコントローラに対し、洗濯終了報知指定７１ｅ（０ｘ００１０：表示画面に大きい画像をポップアップ表示する指示）を含んだ電文を送信し、それを受けたコントローラは、機器の指示どおりに画面１１４にポップアップ画面１１５を表示する。
【００６５】
これにより、「小さく表示すればよい情報」と、「大きく表示し、ユーザの気を引きたい情報」とを区別してコントローラからユーザに報知することができる。また、それを機器から制御することで、機器にイベントを追加したときなどにも、コントローラを改編することなく、コントローラにて、ユーザに新しいイベントを報知することが出来る。
【００６６】
ここでは、画面表示を例に述べたが、この報知手段指定は画面表示のみならず、ＬＥＤ点灯、ブザー発報など音や光、ひいては震動やＥメール送信といった手段を指定することも可能である。
【００６７】
（実施の形態５）
図７は、図２同様本実施の形態５の機器Ａ１２１の報知指定生成部１２にて生成される電文の構成図である。実データ部２２は報知内容指示部２３と、報知優先度指定部７１の二つより構成される。報知優先度指定部では、そのイベントの報知優先度を数値にて表し、より大きい数値を示しているイベントが小さいイベントよりも、よりユーザの注意を喚起する方法（たとえば大きな音、眩しい光、画面の最前面表示など）でコントローラより報知される。
【００６８】
図２同様に洗濯機の洗濯運転コースを例にあげて説明すると、洗濯機が洗濯運転コースを開始したとき、洗濯機は、コントローラに対し、注水動作開始報知指定７１ａ（０ｘ０００１：報知優先度最低レベル）を含んだ電文を送信し、それを受けたコントローラは表示部１１４に洗い行程を示す画像図（図２１の１１４ｃ）を表示する。同様にして、洗濯機が洗濯動作を開始したとき、すすぎ動作を開始したとき、脱水動作を開始したとき毎に洗濯機はコントローラに、洗濯動作開始報知指定７１ｂ、すすぎ動作開始報知指定７１ｃ、脱水動作開始報知指定７１ｄ（すべて値は０ｘ０００１で同レベルの優先度）を含んだ電文を順に送信する。それを受け図２１のように、コントローラは順にすすぎ行程を示す画像１１４ｄ、脱水行程を示す画像１１４ｅを表示する。そして、洗濯機が洗濯を終了したとき、洗濯機はコントローラに対し、洗濯終了報知指定７１ｅ（０ｘ００１０：報知優先度中レベル）を含んだ電文を送信する。それを受けたコントローラは、機器より受け取った優先レベルから判断し、図２２のように、画面１１４が表示されている画面より前面に画面１１５をかぶせて表示する。
【００６９】
これにより、機器から送信されてくる情報に報知優先度のランクをつけることができ、ユーザが必要とする情報もしくはユーザに確実に届けたい情報を効率よく伝達することが出来、機器の操作性の向上を図ることも可能となる。
【００７０】
これは、機器の種別を問わずに報知優先度を設定することができるので、洗濯機や冷蔵庫といった家電製品とコントローラからなるネットワークに、新規に侵入検知センサなどのセキュリティ機器を追加した場合にも、コントローラを改編することなく、もとからある家電製品よりも緊急性の高い情報（泥棒が家に侵入したなど）をコントローラにて最優先に報知することができる。
【００７１】
（実施の形態６）
図８は、図２同様本実施の形態６の機器Ａ１２１の報知指定生成部１２にて生成される電文の構成図である。実データ部２２は報知内容指示部２３と、報知期間指定部５１に加え、消去手段指定部８１の三つより構成される。消去手段指定部８１では、そのイベント情報の報知が何をすることによって消去されるかの条件（コントローラのボタンが押されたら消去、コントローラの画面に触れたら消去、機器側でボタンが押されたら消去など）を指定する。
【００７２】
図２同様に洗濯機の洗濯運転コース終了時を例にあげて説明すると、洗濯機が洗濯運転コースを終了したとき、洗濯機は、洗濯機の運転が終了したというイベント情報と共に、図８の８０ｅ、８１ｅからなる報知制御電文をコントローラに送信する。このとき、報知期間指定部５１には”０ｘ００００：時間指定なし（他の要因により解除されるまで待つ）”が指定されている。そして、消去手段指定部８１にはデータ”０ｘ０１：確認ボタンを押下したらデータを消去”という値が指定されているので、この電文を受け取ったコントローラは、「洗濯機の洗濯コース運転が終了した」ということを報知すると共に、”時間指定なしで、確認ボタンが押下されたら報知情報を消去”する。これにより、機器から送信されてくる情報を区別することができ、ユーザが必要とする情報もしくはユーザに確実に届けたい情報にユーザの意識を向けることが出来、重要なイベントを確実にユーザに伝えることができる。
【００７３】
また、“０ｘ０１：確認ボタンを押下したらデータを消去”の他に“０ｘ００：指定なし”、“０ｘ０２：通信による消去指示”、“０ｘ０３：他の報知受信”などがある。
【００７４】
ここでは、同時に送信する情報として報知期間指定を用いたが、図３の報知開始時刻指定３１、図４の報知開始待ち時間指定４１を同時に含む形でも構わない。
【００７５】
（実施の形態７）
図９は、本実施の形態７のネットワーク１２０に繋がれたコントローラＢ１２２のシステムブロック図である。なお、報知情報制御処理部１４と表記している以外は従来の構成と同じである。ネットワーク１２０を通して受信した電文を、電文解析処理部１３３にて解析し、報知情報処理部１４にてどの機器の何というイベントをどのようにしてどんなタイミングでユーザに報知するかという情報に分け、報知制御処理部１３５にてユーザに報知する。
【００７６】
図１０は図９で示されるコントローラＢ１２２が、ネットワークを介して接続された機器Ａ１２１から報知指示情報を受信したときのコントローラＢ１２２の処理シーケンスを示す。機器Ａ１２１から、報知指示情報６３を受け取ったコントローラＢ１２２は、応答６４を返し、報知情報処理部１４にて報知指示情報による報知処理６５を行い、報知制御処理部１３５にてユーザに報知する。
【００７７】
これらの動作をネットワークに接続された洗濯機を例にとり説明すると、洗濯機からユーザが設定した洗濯運転コースが終了したという情報が、「コントローラの情報表示画面にコース運転を終了したという画面をポップアップ表示する」という報知情報指定とともにコントローラＢ１２２に送信された場合、コントローラＢ１２２は、報知情報制御処理部１４にて、この報知情報が、情報表示画面に指定された画像を表示し、その表示方法はポップアップ画面を用い、すぐに表示する情報であるということを判断、報知制御処理部１３５にて情報表示画面に指定された画像１１５をポップアップ表示する。
【００７８】
この過程の中では、コントローラＢ１２２は、洗濯機から送られてきた洗濯運転コースが終了したという情報が、ユーザに特出して報知すべきイベントであると認識する必要は無く、洗濯機からの指示の通りにイベント情報を報知する。
【００７９】
その結果、洗濯機の運転状態を確認する状態閲覧画面１１４（図２１）の画面上にポップアップ表示された洗濯運転コース終了報知画面１１５（図２２）により、ユーザの注意を喚起することができ、この情報をユーザに特出して報知すべきイベントが発生したと伝えることができる。
【００８０】
このことにより、コントローラＢ１２２は、各機器の特出して報知すべきイベントの情報を一切データとして持つ必要がなくなり、どのような機器の報知にも高い自由度で適用できるコントローラを実現することができる。
【００８１】
（実施の形態８）
図１１は、本実施の形態８のネットワーク１２０に繋がれたコントローラＣ１２３のシステムブロック図である。これは、図９に示されるコントローラＢ１２２に報知種別情報保持部１５を加えたものである。コントローラＣ１２３がネットワークを介して接続された機器より報知指示情報を受信した場合、報知情報処理部１４にて報知指示情報を処理するが、その際に、報知種別情報保持部１５に指示されたイベントの種類を保持し、送信されたイベントの種類によって報知制御処理部１３５での処理内容を変えることができる。
【００８２】
これは、例えば、”セキュリティ機器関連の機器から送信されたデータであれば、音と共に画像を点滅表示させる”、”広告代理店から送信されたデータであれば、指定のＵＲＬにアクセスする”などといったことで、ネットワークを介して接続された機器が、遠隔地にあるコントローラを用いて、ユーザに報知したい情報をより効果的に報知することができる。
【００８３】
（実施の形態９）
図１２は、本実施の形態９のネットワーク１２０に繋がれたコントローラＤ１２４のシステムブロック図である。これは、図９に示されるコントローラＢ１２２に報知制御時間情報保持部１６を加えたものである。この報知制御時間情報保持部１６は内に、報知開始時刻情報保持部１７と、報知待ち時間情報保持部１８と、報知期間情報保持部１９を備える。コントローラＤ１２４がネットワークを介して接続された機器より報知指示情報を受信した場合、報知情報処理部１４にて報知指示情報を処理するが、その際に、報知制御時間情報保持部１６の各部にデータを保持し、送信されたイベントを報知する時刻（正午丁度に報知する、など）、報知するまでの時間（報知指定情報を受信してから５分後に報知する、など）、報知している期間（３秒経ったら報知情報を消去する、など）を機器の指示どおりに報知制御処理部１３５にて制御することができる。
【００８４】
これにより、ネットワークを介して接続された機器が、遠隔地にあるコントローラを用いて、ユーザに報知したい情報をより効果的に報知することができる。
【００８５】
（実施の形態１０）
図１３は、本実施の形態１０のネットワーク１２０に繋がれたコントローラＥ１２５のシステムブロック図である。これは、図９に示されるコントローラＢ１２２に報知手段情報保持部１４１を加えたものである。コントローラＥ１２５がネットワークを介して接続された機器より報知指示情報を受信した場合、報知情報処理部１４にて報知指示情報を処理するが、その際に、報知手段情報保持部１４１に、指示されたイベント報知手段を保持し、送信されたイベントを報知する際に音、光、画像、震動、Ｅメール通信などの手段を機器の指示どおりに用いて、報知制御処理部１３５にて報知手段を制御することができる。
【００８６】
これにより、ネットワークを介して接続された機器が、遠隔地にあるコントローラを用いて、ユーザに報知したい情報をより効果的に報知することができる。
【００８７】
（実施の形態１１）
図１４は、本実施の形態１１のネットワーク１２０に繋がれたコントローラＦ１２６のシステムブロック図である。これは、図９に示されるコントローラＢ１２２に報知優先度情報保持部１４２を加えたものである。コントローラＦ１２６がネットワークを介して接続された機器より報知指示情報を受信した場合、報知情報処理部１４にて報知指示情報を処理するが、その際に、報知優先度情報保持部１４２に、指示されたイベントの報知優先度を保持し、送信されたイベントを報知する際に、現在報知されている内容とどちらが優先度が高いかを保持し、優先度の高いイベントを優先的に報知する制御を報知制御処理部１３５にて実現させる。
【００８８】
これにより、機器から送信されてくる情報にランクをつけることができ、ユーザが必要とする情報もしくはユーザに確実に届けたい情報を効率よく伝達することが出来、機器の操作性の向上を図ることも可能となる。
【００８９】
（実施の形態１２）
図１５は、本実施の形態１２のネットワーク１２０に繋がれたコントローラＧ１２７のシステムブロック図である。これは、図１２に示されるコントローラＤ１２４の報知制御時間情報保持部１６に報知解除手段保持部１４３を加えたものである。コントローラＧ１２７がネットワークを介して接続された機器より報知指示情報を受信した場合、報知情報処理部１４にて報知指示情報を処理するが、その際に、報知解除手段保持部１４３に、指示されたイベント報知の解除手段を保持し、送信されたイベントが報知された際に、どのような条件でイベント報知を解除するか（例えばボタンが押されたとき、コントローラの画面に触れたとき、機器を操作したときなど）を保持し、報知制御処理部１３５にてイベント報知解除手段を制御することができる。
【００９０】
これにより、機器から送信されてくる情報を区別することができ、ユーザが必要とする情報もしくはユーザに確実に届けたい情報にユーザの意識を向けることが出来、重要なイベントを確実にユーザに伝えることができる。
【００９１】
ここでは、報知解除手段保持部１４３を報知制御時間情報保持部１６に含ませたが、特に限定を加えるものではない。
【００９２】
（実施の形態１３）
図１６は、本実施の形態１２のネットワーク１２０に繋がれた機器におけるイベント報知の実行方法を表す動作フローチャートである。まず、Ｓ０にて機器上で発生したユーザに特出して報知しなければならないイベントを検知すると、Ｓ１にて報知情報指定を生成し、Ｓ２にて報知情報指定電文を生成する。それをネットワーク上へコントローラに向けて送信する。これにより、コントローラの設定を変えることなく、機器側から報知内容や報知方法を制御することができる。
【００９３】
（実施の形態１４）
図１７は、本実施の形態１２のネットワーク１２０に繋がれたコントローラにおけるイベント報知の実行方法を表す動作フローチャートである。まず、Ｓ４にて遠隔地の機器から送信される報知情報指定電文を受信する。そして、Ｓ５にて受信した電文を解析し、解析した結果を受けてＳ６にて報知する手段を制御、Ｓ７にてユーザに報知する。このことにより、コントローラは、各機器の特出して報知すべきイベントの情報を一切データとして持つ必要がなくなり、どのような機器の報知にも高い自由度で適用できるコントローラを実現することができる。
【００９４】
なお、本実施の形態で説明したコントローラ、機器の一部をマイコンによるプログラム動作で実施してもよい。
【産業上の利用可能性】
【００９５】
以上のように、本発明にかかる機器およびコントローラおよびイベント報知方法は、機器上で起こる特出してコントローラに報知すべきイベントを、機器側から特出した情報として前記コントローラに送信し、なおかつ報知すべき情報の指定や、その報知方法をも制御することができるので、コントローラを改編することなく、コントローラにて効果的にユーザに報知することができる。
【００９６】
このため、ネットワーク接続されたエアコン、電子レンジ、冷蔵庫、給湯器など家電製品や、セキュリティ機器、コインランドリーや学校などといった公共施設に設置される機器などさまざまな用途に適用することができる。
【図面の簡単な説明】
【００９７】
【図１】本発明実施例１の機器のシステムブロック図
【図２】本発明実施例２の機器の電文構成図
【図３】本発明実施例３の機器の１つめの電文構成図
【図４】本発明実施例３の機器の２つめの電文構成図
【図５】本発明実施例３の機器の３つめの電文構成図
【図６】本発明実施例４の機器の電文構成図
【図７】本発明実施例５の機器の電文構成図
【図８】本発明実施例６の機器の電文構成図
【図９】本発明実施例７のコントローラのシステムブロック図
【図１０】本発明実施例７のコントローラの通信シーケンス図
【図１１】本発明実施例８のコントローラのシステムブロック図
【図１２】本発明実施例９のコントローラのシステムブロック図
【図１３】本発明実施例１０のコントローラのシステムブロック図
【図１４】本発明実施例１１のコントローラのシステムブロック図
【図１５】本発明実施例１２のコントローラのシステムブロック図
【図１６】本発明実施例１３の方法の動作フローチャート
【図１７】本発明実施例１４の方法の動作フローチャート
【図１８】従来のネットワーク構成図
【図１９】従来のコントローラのシステムブロック図
【図２０】従来のコントローラの通信シーケンス図
【図２１】従来のコントローラに表示する機器状態閲覧画面の一例図
【図２２】従来のコントローラ表示する運転終了画面の一例図
【符号の説明】
【００９８】
１１  イベント検知部
１２  報知指定生成部
１４  報知情報制御処理部
１５  報知種別情報保持部
１６  報知制御時間情報保持部
１７  報知開始時刻情報保持部
１８  報知待ち時間情報保持部
１９  報知期間情報保持部
２３  報知内容指示部
３１  報知開始時刻指定部
４１  報知開始待ち時間指定部
５１  報知期間指定部
６１  報知手段指定部
６３  報知指示情報
７１  報知優先度指定部
８１  消去手段指定部
１１４  機器状態閲覧画面
１１５  運転終了ポップアップ画面
１００、１２０  通信ネットワーク
１０１、１２２、１２３、１２４、１２５、１２６、１２７  コントローラ
１０２、１０３、１０４、１２１  機器
１４１  報知手段情報保持部
１４２  報知優先度情報保持部
１４３  報知解除手段情報保持部
【図１】
2005072839.tif 000003
【図２】
2005072839.tif 000004
【図３】
2005072839.tif 000005
【図４】
2005072839.tif 000006
【図５】
2005072839.tif 000007
【図６】
2005072839.tif 000008
【図７】
2005072839.tif 000009
【図８】
2005072839.tif 000010
【図９】
2005072839.tif 000011
【図１０】
2005072839.tif 000012
【図１１】
2005072839.tif 000013
【図１２】
2005072839.tif 000014
【図１３】
2005072839.tif 000015
【図１４】
2005072839.tif 000016
【図１５】
2005072839.tif 000017
【図１６】
2005072839.tif 000018
【図１７】
2005072839.tif 000019
【図１８】
2005072839.tif 000020
【図１９】
2005072839.tif 000021
【図２０】
2005072839.tif 000022
【図２１】
2005072839.tif 000023
【図２２】
2005072839.tif 000024